(57)【要約】【課題】ユーザに意識させることなくほぼ１回線分の設備で複数の携帯端末装置を使用できるようにする移動体通信システム及びそれを用いた移動体通信方法及びその移動体通信方法を実行させるためのプログラムを提供する。【解決手段】ユーザのIDと、そのユーザが所有する端末のうち現在活性化している端末のIDとを管理するユーザ管理部を設け、端末が活性化する際にユーザ管理部と通信を行い、すでに他の端末が活性化している状態であった場合は、ユーザ管理部の情報に基づき他の端末を不活性化する。携帯端末装置は端末を識別するための端末IDだけではなく、ユーザのIDをあわせて内部に保持している。ユーザIDを移動体通信システムに通知することで、活性・不活性の制御を行う。携帯端末装置が不活性化されている状態にて入力装置から何らかのユーザ操作を受け取った場合は、移動体通信システムに通知し端末を自動的に活性化させる。【選択図】図１
2005117472.tif 000002
【特許請求の範囲】
【請求項１】
複数の携帯端末装置をユーザが所有する場合に、ユーザごとに固有の番号となるユーザIDを設け、ユーザからの端末操作を検知して、ユーザIDの通知により、同時に使用可能な携帯端末装置を一つに限定する手段と、
ユーザのある携帯端末装置が活性化した場合には、それまでに活性化している携帯端末装置を不活性化する手段とを有する、移動体通信システム。
【請求項２】
ユーザが保有する携帯端末装置と、各所に配置された基地局装置と、各基地局装置を相互接続し全体の管理機能を付与したコアネットワークとから構成され、
前記携帯端末装置は、無線により前記基地局装置に接続可能な機能を持った移動可能な端末であり、各端末固有の番号である端末IDと、ユーザごとに固有の番号となるユーザIDとを有し、
前記基地局装置は、それぞれが担当する地域における無線通信を管理し、固有の位置IDを有し、
前記コアネットワークは、位置情報管理部とユーザ管理部とを備え、
前記位置情報管理部は、端末IDと、その携帯端末装置の位置の無線通信を管理している基地局装置が持つ位置IDとを関連付ける位置管理情報の表を有し、
前記ユーザ管理部は、ユーザIDと、そのユーザが所有する携帯端末装置のうちその時点で活性化している携帯端末装置の端末IDとを関連付けるユーザ管理情報の表を有する、移動体通信システムであって、
ユーザが保有する携帯端末装置が一台のみである場合、あるいは保有する携帯端末装置のうち電源投入されているものが一台のみである場合、
携帯端末装置は、その地域に存在する基地局装置に対し、自身の持つ端末IDおよびユーザIDを付与して登録要求を発行する手段を有し、
基地局装置は、送られてきた前記端末IDおよび前記ユーザIDに加え、前記基地局装置が持つ位置IDを付与し、ユーザ管理部に登録要求を発行する手段を有し、
ユーザ管理部は、送られてきた前記ユーザIDと前記端末IDをユーザ管理情報として保存し、位置情報管理部に対し、前記端末IDと、前記基地局装置の前記位置IDを付与し登録要求を発行する手段を有し、
位置情報管理部は、送られてきた前記端末IDと前記位置IDを位置管理情報として保存し、情報登録に関する全ての処理が終わったことを前記携帯端末装置に通知するため、前記基地局装置に対し登録完了通知を発行する手段を有し、
前記基地局装置は、前記携帯端末装置に登録完了通知を転送する手段を有し、
前記携帯端末装置は、活性化状態となり、通話またはデータ通信を行える状態となる手段を有する、移動体通信システム。
【請求項３】
請求項２に記載の移動体通信システムであって、
すでに活性化している第１の携帯端末装置がある状態で、そのユーザが所有する第２の携帯端末装置を活性化する場合、
前記第２の携帯端末装置は、その地域に存在する第２の基地局装置に対し、自身の持つ第２の端末IDおよびユーザIDを付与して登録要求を発行する手段を有し、
前記第２の基地局装置は、送られてきた前記第２の端末IDおよび前記ユーザIDに加え、前記第１の基地局装置が持つ第２の位置IDを付与し、前記ユーザ管理部に登録要求を発行する手段を有し、
前記ユーザ管理部は、送られてきた前記ユーザIDがすでに登録されているかどうかを検索し、前記第１の携帯端末装置の第１の端末IDが設定されたユーザ管理情報を抽出し、前記第１の端末IDを送られてきた前記第２の端末IDに書き換え保存し、前記第１の端末IDを付与して前記第１の携帯端末装置の情報削除を前記位置情報管理部に送出する手段を有し、
前記位置情報管理部は、送られてきた前記第１の端末IDに該当する位置管理情報を検索し第１の位置IDを抽出した上で削除し、前記第１の位置IDに対応する第１の基地局装置に対し削除要求を送出する手段を有し、
前記第１の基地局装置は、前記第１の携帯端末装置に削除要求を転送する手段を有し、
前記第１の携帯端末装置は、削除要求を受け取り不活性化したことを前記コアネットワークに通知するため、削除完了通知を送出し、不活性化状態となる手段を有し、
前記ユーザ管理部は、送られてきた前記ユーザIDと前記第２の端末IDをユーザ管理情報として保存し、前記位置情報管理部に対し、前記第２の端末IDと、前記第２の基地局装置の前記第２の位置IDを付与し登録要求を発行する手段を有し、
前記位置情報管理部は、送られてきた前記第２の端末IDと前記第２の位置IDを位置管理情報として保存し、情報登録に関する全ての処理が終わったことを前記第２の携帯端末装置に通知するため、前記第２の基地局装置に対し登録完了通知を発行する手段を有し、
前記第２の基地局装置は、前記第２の携帯端末装置に登録完了通知を転送する手段を有し、
前記第２の携帯端末装置は、活性化状態となり、通話またはデータ通信を行える状態となる手段を有する、移動体通信システム。
【請求項４】
請求項２または請求項３に記載の移動体通信システムに用いる携帯端末装置であって、
前記携帯端末装置は、通信部と入力装置と表示装置と制御部とから構成され、
前記通信部は、前記基地局装置との無線通信を処理する部分であり、端末IDとユーザIDと有し、必要に応じて端末IDとユーザIDの値を前記基地局装置経由で前記コアネットワークに送出する機能を有し、前記制御部からの指示により通信を停止する不活性化の機能を有し、
前記入力装置は、ユーザからのキー操作を受け取る部分であり、
前記表示装置は、前記携帯端末装置の活性化状況や電波強度や通信状況の無線通信にかかわる状態を表示する機能を有し、
前記制御部は、前記携帯端末装置各部の制御を司る部分であり、
前記携帯端末装置は、電源投入時に前記コアネットワークへの情報登録を行い、前記通信部が不活性化している場合に、前記入力装置よりユーザの操作を関知した場合は、再度前記コアネットワークへの情報登録を行い再活性化を行う、携帯端末装置。
【請求項５】
複数の携帯端末装置をユーザが所有する場合に、ユーザごとに固有の番号となるユーザIDを設け、ユーザからの端末操作を検知して、ユーザIDの通知により、同時に使用可能な携帯端末装置を一つに限定し、ユーザのある携帯端末装置が活性化した場合には、それまでに活性化している携帯端末装置を不活性化する、移動体通信システムを用いた移動体通信方法。
【請求項６】
ユーザが保有する携帯端末装置と、各所に配置された基地局装置と、各基地局装置を相互接続し全体の管理機能を付与したコアネットワークとから構成され、
前記携帯端末装置は、無線により前記基地局装置に接続可能な機能を持った移動可能な端末であり、各端末固有の番号である端末IDと、ユーザごとに固有の番号となるユーザIDとを有し、
前記基地局装置は、それぞれが担当する地域における無線通信を管理し、固有の位置IDを有し、
前記コアネットワークは、位置情報管理部とユーザ管理部とを備え、
前記位置情報管理部は、端末IDと、その携帯端末装置の位置の無線通信を管理している基地局装置が持つ位置IDとを関連付ける位置管理情報の表を有し、
前記ユーザ管理部は、ユーザIDと、そのユーザが所有する携帯端末装置のうちその時点で活性化している携帯端末装置の端末IDとを関連付けるユーザ管理情報の表を有する、移動体通信システムを用いた移動体通信方法であって、
ユーザが保有する携帯端末装置が一台のみである場合、あるいは保有する携帯端末装置のうち電源投入されているものが一台のみである場合、
携帯端末装置からその地域に存在する基地局装置に対し、自身の持つ端末IDおよびユーザIDを付与して登録要求を発行し、
基地局装置は、送られてきた前記端末IDおよび前記ユーザIDに加え、前記基地局装置が持つ位置IDを付与し、ユーザ管理部に登録要求を発行し、
ユーザ管理部は、送られてきた前記ユーザIDと前記端末IDをユーザ管理情報として保存し、位置情報管理部に対し、前記端末IDと、前記基地局装置の前記位置IDを付与し登録要求を発行し、
位置情報管理部は、送られてきた前記端末IDと前記位置IDを位置管理情報として保存し、情報登録に関する全ての処理が終わったことを前記携帯端末装置に通知するため、前記基地局装置に対し登録完了通知を発行し、
前記基地局装置より前記携帯端末装置に登録完了通知を転送し、
前記携帯端末装置は活性化状態となり、通話またはデータ通信を行える状態となる、移動体通信システムを用いた移動体通信方法。
【請求項７】
請求項６に記載の移動体通信システムを用いた移動体通信方法であって、
すでに活性化している第１の携帯端末装置がある状態で、そのユーザが所有する第２の携帯端末装置を活性化する場合、
前記第２の携帯端末装置からその地域に存在する第２の基地局装置に対し、自身の持つ第２の端末IDおよびユーザIDを付与して登録要求を発行し、
前記第２の基地局装置は、送られてきた前記第２の端末IDおよび前記ユーザIDに加え、前記第１の基地局装置が持つ第２の位置IDを付与し、前記ユーザ管理部に登録要求を発行し、
前記ユーザ管理部は、送られてきた前記ユーザIDがすでに登録されているかどうかを検索し、前記第１の携帯端末装置の第１の端末IDが設定されたユーザ管理情報を抽出し、前記第１の端末IDを送られてきた前記第２の端末IDに書き換え保存し、前記第１の端末IDを付与して前記第１の携帯端末装置の情報削除を前記位置情報管理部に送出し、
前記位置情報管理部は、送られてきた前記第１の端末IDに該当する位置管理情報を検索し第１の位置IDを抽出した上で削除し、前記第１の位置IDに対応する第１の基地局装置に対し削除要求を送出し、
前記第１の基地局装置より前記第１の携帯端末装置に削除要求を転送し、
前記第１の携帯端末装置にて、削除要求を受け取り不活性化したことを前記コアネットワークに通知するため、削除完了通知を送出し、不活性化状態となり、
前記ユーザ管理部は、送られてきた前記ユーザIDと前記第２の端末IDをユーザ管理情報として保存し、前記位置情報管理部に対し、前記第２の端末IDと、前記第２の基地局装置の前記第２の位置IDを付与し登録要求を発行し、
前記位置情報管理部は、送られてきた前記第２の端末IDと前記第２の位置IDを位置管理情報として保存し、情報登録に関する全ての処理が終わったことを前記第２の携帯端末装置に通知するため、前記第２の基地局装置に対し登録完了通知を発行し、
前記第２の基地局装置より前記第２の携帯端末装置に登録完了通知を転送し、
前記第２の携帯端末装置は活性化状態となり、通話またはデータ通信を行える状態となる、移動体通信システムを用いた移動体通信方法。
【請求項８】
前記携帯端末装置は、通信部と入力装置と表示装置と制御部とから構成され、
前記通信部は、前記基地局装置との無線通信を処理する部分であり、端末IDとユーザIDと有し、必要に応じて端末IDとユーザIDの値を前記基地局装置経由で前記コアネットワークに送出する機能を有し、前記制御部からの指示により通信を停止する不活性化の機能を有し、
前記入力装置は、ユーザからのキー操作を受け取る部分であり、
前記表示装置は、前記携帯端末装置の活性化状況や電波強度や通信状況の無線通信にかかわる状態を表示する機能を有し、
前記制御部は、前記携帯端末装置各部の制御を司る部分であり、
前記携帯端末装置は、電源投入時に前記コアネットワークへの情報登録を行い、前記通信部が不活性化している場合に、前記入力装置よりユーザの操作を関知した場合は、再度前記コアネットワークへの情報登録を行い再活性化を行う、請求項６または請求項７に記載の移動体通信システムを用いた移動体通信方法。
【請求項９】
コンピュータ又はマイクロプロセッサに、請求項５から８のいずれか１項に記載の移動体通信システムを用いた移動体通信方法を実行させるためのプログラム。
【発明の詳細な説明】
【技術分野】
【０００１】
本発明は、移動体通信システム及びそれを用いた移動体通信方法及びコンピュータ又はマイクロプロセッサにその移動体通信方法を実行させるためのプログラムに関する。
【背景技術】
【０００２】
従来の技術としては、携帯端末の使用者を識別するために自己データ記憶部内のユーザIDを使用し、かつ登録したユーザIDを変更する機能を備えるので、１台の端末を複数のユーザで使用した場合や１人のユーザが複数の携帯端末を所有した場合でも、名刺データを簡単に正しく管理することが可能となる、通信データ処理端末装置がある（特許文献１参照。）。
【０００３】
また、無線端末からの認証要求パケット中から抽出した第１の端末IDと、無線基地局内又は認証サーバ内の管理テーブルの第２の端末IDとが不一致であるときには、無線端末からの認証要求パケット中から抽出した第１の認証情報とこの管理テーブルの第２の認証情報とが一致していても、無線端末に対して認証拒否応答を行うようにしたため、ユーザIDやパスワードなどの認証情報が盗難された場合でも、異なる無線端末からの２重アクセスを防止することができる、無線端末の認証方法がある（特許文献２参照。）。
【特許文献１】特開２００１−３２５２７９号公報
【特許文献２】特開２００２−３２４０５２号公報
【発明の開示】
【発明が解決しようとする課題】
【０００４】
従来の技術では、ユーザが複数の携帯端末装置を所有する場合であっても、移動体通信システムとしては各携帯端末装置を完全に別の端末として扱っていた。このため、ユーザが一度に使用できる、あるいは使用する携帯端末装置が一つだけである場合であっても、コアネットワークへの情報登録および管理のために移動体通信システムとしては携帯端末装置の数に同時に対応できるだけの設備を用意する必要があり、またユーザとしても携帯端末装置の数だけコストを負担する必要があった。
【０００５】
また、端末情報(本発明でいうところの端末ID)をICカードにより供給する携帯端末装置は実用化されており、これを用いれば１回線分のコストで複数の携帯端末装置を使用することが可能ではあるが、使用する携帯端末装置を切り替える際にICカードの挿抜が必要になるため、ユーザに煩雑な操作を要求するという欠点があった。
【０００６】
本発明の目的はこれらの欠点を解決し、ユーザに意識させることなくほぼ１回線分の設備で複数の携帯端末装置を使用できるようにする仕組みを提供する移動体通信システム及びそれを用いた移動体通信方法及びコンピュータ又はマイクロプロセッサにその移動体通信方法を実行させるためのプログラムを提供することにある。
【課題を解決するための手段】
【０００７】
本発明の移動体通信システムは、
複数の携帯端末装置をユーザが所有する場合に、ユーザごとに固有の番号となるユーザIDを設け、ユーザからの端末操作を検知して、ユーザIDの通知により、同時に使用可能な携帯端末装置を一つに限定する手段と、ユーザのある携帯端末装置が活性化した場合には、それまでに活性化している携帯端末装置を不活性化する手段とを有する。
【０００８】
本発明の移動体通信システムは、
ユーザが保有する携帯端末装置と、各所に配置された基地局装置と、各基地局装置を相互接続し全体の管理機能を付与したコアネットワークとから構成され、携帯端末装置は、無線により基地局装置に接続可能な機能を持った移動可能な端末であり、各端末固有の番号である端末IDと、ユーザごとに固有の番号となるユーザIDとを有し、基地局装置は、それぞれが担当する地域における無線通信を管理し、固有の位置IDを有し、コアネットワークは、位置情報管理部とユーザ管理部とを備え、位置情報管理部は、端末IDと、その携帯端末装置の位置の無線通信を管理している基地局装置が持つ位置IDとを関連付ける位置管理情報の表を有し、ユーザ管理部は、ユーザIDと、そのユーザが所有する携帯端末装置のうちその時点で活性化している携帯端末装置の端末IDとを関連付けるユーザ管理情報の表を有する、移動体通信システムであって、
ユーザが保有する携帯端末装置が一台のみである場合、あるいは保有する携帯端末装置のうち電源投入されているものが一台のみである場合、携帯端末装置は、その地域に存在する基地局装置に対し、自身の持つ端末IDおよびユーザIDを付与して登録要求を発行する手段を有し、基地局装置は、送られてきた端末IDおよびユーザIDに加え、基地局装置が持つ位置IDを付与し、ユーザ管理部に登録要求を発行する手段を有し、ユーザ管理部は、送られてきたユーザIDと端末IDをユーザ管理情報として保存し、位置情報管理部に対し、端末IDと、基地局装置の位置IDを付与し登録要求を発行する手段を有し、位置情報管理部は、送られてきた端末IDと位置IDを位置管理情報として保存し、情報登録に関する全ての処理が終わったことを携帯端末装置に通知するため、基地局装置に対し登録完了通知を発行する手段を有し、基地局装置は、携帯端末装置に登録完了通知を転送する手段を有し、携帯端末装置は、活性化状態となり、通話またはデータ通信を行える状態となる手段を有する。
【０００９】
また、上述の移動体通信システムであって、
すでに活性化している第１の携帯端末装置がある状態で、そのユーザが所有する第２の携帯端末装置を活性化する場合、第２の携帯端末装置は、その地域に存在する第２の基地局装置に対し、自身の持つ第２の端末IDおよびユーザIDを付与して登録要求を発行する手段を有し、第２の基地局装置は、送られてきた第２の端末IDおよびユーザIDに加え、第１の基地局装置が持つ第２の位置IDを付与し、ユーザ管理部に登録要求を発行する手段を有し、ユーザ管理部は、送られてきたユーザIDがすでに登録されているかどうかを検索し、第１の携帯端末装置の第１の端末IDが設定されたユーザ管理情報を抽出し、第１の端末IDを送られてきた第２の端末IDに書き換え保存し、第１の端末IDを付与して第１の携帯端末装置の情報削除を位置情報管理部に送出する手段を有し、位置情報管理部は、送られてきた第１の端末IDに該当する位置管理情報を検索し第１の位置IDを抽出した上で削除し、第１の位置IDに対応する第１の基地局装置に対し削除要求を送出する手段を有し、第１の基地局装置は、第１の携帯端末装置に削除要求を転送する手段を有し、第１の携帯端末装置は、削除要求を受け取り不活性化したことをコアネットワークに通知するため、削除完了通知を送出し、不活性化状態となる手段を有し、ユーザ管理部は、送られてきたユーザIDと第２の端末IDをユーザ管理情報として保存し、位置情報管理部に対し、第２の端末IDと、第２の基地局装置の第２の位置IDを付与し登録要求を発行する手段を有し、位置情報管理部は、送られてきた第２の端末IDと第２の位置IDを位置管理情報として保存し、情報登録に関する全ての処理が終わったことを第２の携帯端末装置に通知するため、第２の基地局装置に対し登録完了通知を発行する手段を有し、第２の基地局装置は、第２の携帯端末装置に登録完了通知を転送する手段を有し、第２の携帯端末装置は、活性化状態となり、通話またはデータ通信を行える状態となる手段を有してもよい。
【００１０】
本発明の携帯端末装置は、
上述の移動体通信システムに用いる携帯端末装置であって、
携帯端末装置は、通信部と入力装置と表示装置と制御部とから構成され、通信部は、基地局装置との無線通信を処理する部分であり、端末IDとユーザIDと有し、必要に応じて端末IDとユーザIDの値を基地局装置経由でコアネットワークに送出する機能を有し、制御部からの指示により通信を停止する不活性化の機能を有し、入力装置は、ユーザからのキー操作を受け取る部分であり、表示装置は、携帯端末装置の活性化状況や電波強度や通信状況の無線通信にかかわる状態を表示する機能を有し、制御部は、携帯端末装置各部の制御を司る部分であり、携帯端末装置は、電源投入時にコアネットワークへの情報登録を行い、通信部が不活性化している場合に、入力装置よりユーザの操作を関知した場合は、再度コアネットワークへの情報登録を行い再活性化を行う。
【００１１】
本発明の移動体通信システムを用いた移動体通信方法は、
複数の携帯端末装置をユーザが所有する場合に、ユーザごとに固有の番号となるユーザIDを設け、ユーザからの端末操作を検知して、ユーザIDの通知により、同時に使用可能な携帯端末装置を一つに限定し、ユーザのある携帯端末装置が活性化した場合には、それまでに活性化している携帯端末装置を不活性化する。
【００１２】
本発明の移動体通信システムを用いた移動体通信方法は、
ユーザが保有する携帯端末装置と、各所に配置された基地局装置と、各基地局装置を相互接続し全体の管理機能を付与したコアネットワークとから構成され、携帯端末装置は、無線により基地局装置に接続可能な機能を持った移動可能な端末であり、各端末固有の番号である端末IDと、ユーザごとに固有の番号となるユーザIDとを有し、基地局装置は地域や建物の単位で設置される装置で、それぞれが担当する地域における無線通信を管理し、固有の位置IDを有し、コアネットワークは、基地局装置の相互接続機能およびユーザ情報・課金情報の管理機能を有し、位置情報管理部とユーザ管理部とを備え、位置情報管理部は、端末IDと、その携帯端末装置の位置の無線通信を管理している基地局装置が持つ位置IDとを関連付ける位置管理情報の表を有し、ユーザ管理部は、ユーザIDと、そのユーザが所有する携帯端末装置のうちその時点で活性化している携帯端末装置の端末IDとを関連付けるユーザ管理情報の表を有する、移動体通信システムを用いた移動体通信方法であって、
ユーザが保有する携帯端末装置が一台のみである場合、あるいは保有する携帯端末装置のうち電源投入されているものが一台のみである場合、携帯端末装置からその地域に存在する基地局装置に対し、自身の持つ端末IDおよびユーザIDを付与して登録要求を発行し、基地局装置は、送られてきた端末IDおよびユーザIDに加え、基地局装置が持つ位置IDを付与し、ユーザ管理部に登録要求を発行し、ユーザ管理部は、送られてきたユーザIDと端末IDをユーザ管理情報として保存し、位置情報管理部に対し、端末IDと、基地局装置の位置IDを付与し登録要求を発行し、位置情報管理部は、送られてきた端末IDと位置IDを位置管理情報として保存し、情報登録に関する全ての処理が終わったことを携帯端末装置に通知するため、基地局装置に対し登録完了通知を発行し、基地局装置より携帯端末装置に登録完了通知を転送し、携帯端末装置は活性化状態となり、通話またはデータ通信を行える状態となる。
【００１３】
また、上述の移動体通信システムを用いた移動体通信方法であって、
すでに活性化している第１の携帯端末装置がある状態で、そのユーザが所有する第２の携帯端末装置を活性化する場合、第２の携帯端末装置からその地域に存在する第２の基地局装置に対し、自身の持つ第２の端末IDおよびユーザIDを付与して登録要求を発行し、第２の基地局装置は、送られてきた第２の端末IDおよびユーザIDに加え、第１の基地局装置が持つ第２の位置IDを付与し、ユーザ管理部に登録要求を発行し、ユーザ管理部は、送られてきたユーザIDがすでに登録されているかどうかを検索し、第１の携帯端末装置の第１の端末IDが設定されたユーザ管理情報を抽出し、第１の端末IDを送られてきた第２の端末IDに書き換え保存し、第１の端末IDを付与して第１の携帯端末装置の情報削除を位置情報管理部に送出し、位置情報管理部は、送られてきた第１の端末IDに該当する位置管理情報を検索し第１の位置IDを抽出した上で削除し、第１の位置IDに対応する第１の基地局装置に対し削除要求を送出し、第１の基地局装置より第１の携帯端末装置に削除要求を転送し、第１の携帯端末装置にて、削除要求を受け取り不活性化したことをコアネットワークに通知するため、削除完了通知を送出し、不活性化状態となり、ユーザ管理部は、送られてきたユーザIDと第２の端末IDをユーザ管理情報として保存し、位置情報管理部に対し、第２の端末IDと、第２の基地局装置の第２の位置IDを付与し登録要求を発行し、位置情報管理部は、送られてきた第２の端末IDと第２の位置IDを位置管理情報として保存し、情報登録に関する全ての処理が終わったことを第２の携帯端末装置に通知するため、第２の基地局装置に対し登録完了通知を発行し、第２の基地局装置より第２の携帯端末装置に登録完了通知を転送し、第２の携帯端末装置は活性化状態となり、通話またはデータ通信を行える状態となってもよい。
【００１４】
また、携帯端末装置は、通信部と入力装置と表示装置と制御部とから構成され、通信部は、基地局装置との無線通信を処理する部分であり、端末IDとユーザIDと有し、必要に応じて端末IDとユーザIDの値を基地局装置経由でコアネットワークに送出する機能を有し、制御部からの指示により通信を停止する不活性化の機能を有し、入力装置は、ユーザからのキー操作を受け取る部分であり、表示装置は、携帯端末装置の活性化状況や電波強度や通信状況の無線通信にかかわる状態を表示する機能を有し、制御部は、携帯端末装置各部の制御を司る部分であり、携帯端末装置は、電源投入時にコアネットワークへの情報登録を行い、通信部が不活性化している場合に、入力装置よりユーザの操作を関知した場合は、再度コアネットワークへの情報登録を行い再活性化を行ってもよい。
【００１５】
本発明のプログラムは、
コンピュータ又はマイクロプロセッサに、上述の移動体通信システムを用いた移動体通信方法を実行させる。
【００１６】
本発明は、携帯電話を含む無線による移動体通信システムにおいて、ユーザが複数の携帯端末装置を所有する場合に(1) ユーザが活性化した端末のみを通信可能とし、それ以外の端末を自動的に不活性化する仕組みを構築し、かつ(2) ユーザによる明示的な端末活性化操作を必要とせず、ユーザが端末を操作したことを検知して自動的に活性化する仕組みを持つことを特徴としている。
【００１７】
本発明における移動体通信システムの構成が、従来の移動体通信システムと異なる点は、ユーザのIDと、そのユーザが所有する端末のうち現在活性化している端末のIDとを管理するユーザ管理部を設けている点である。端末が活性化する際にユーザ管理部と通信を行い、すでに他の端末が活性化している状態であった場合は、ユーザ管理部の情報に基づき他の端末を不活性化する。
【００１８】
本発明における移動体通信システムに属する携帯端末装置は端末を識別するための端末ID(従来技術と同等)だけではなく、ユーザのIDをあわせて内部に保持している。このユーザIDを移動体通信システムに通知することで、活性・不活性の制御を行う。
【００１９】
さらに携帯端末装置のうち実際に通信を処理する通信部は、制御部を介して入力装置と接続されており、携帯端末装置が不活性化されている状態にて入力装置から何らかのユーザ操作を受け取った場合は、移動体通信システムに通知し端末を自動的に活性化させる。
【００２０】
このようにして、本発明ではユーザが複数所有する携帯端末装置のうち同時に活性化する端末を一つのみにする仕組みを持ち、さらに活性化の切り替えをユーザ操作の検知により行い、ユーザの明示的な操作を不要とすることで、複数の携帯端末装置を所有する場合でも移動体通信システムのコストを抑え、かつ活性化の制御を意識せず使用することが可能となる。
【発明の効果】
【００２１】
以上説明したように、本発明においては、以下に記載するような効果を奏する。
【００２２】
第一の効果は、ユーザの所有する携帯端末装置のうち一つだけが活性化状態になり、それ以外の端末は不活性化されコアネットワークの設備を使用しない状態になることで、ユーザあたりの設備消費量が携帯端末装置一つだけを所有する場合とほぼ同程度に抑えることができるということである。これにより、複数の携帯端末装置を所有する場合であっても、移動体通信システムのコストを低く抑えることができるほか、ユーザの負担するコストを低く抑えることができる。
【００２３】
第二の効果は、ユーザ入力を検知した際に携帯端末装置の活性化を行うことと、他の携帯端末装置が活性化した場合にコアネットワークからの通知により不活性化させる仕組みを導入したことで、ユーザにとって特別な操作を要求することなく、自然に活性化状態の切り替えを行うことができるということである。通信を開始する場合、実際の通信よりも前に端末に対する何らかのユーザ操作を伴うことが多い。このユーザ操作を検知し活性化を行うことで、実際に通信を開始するまでには活性化し使用可能な状態になっていることが期待でき、ユーザにとっては活性化・不活性化を意識せずに携帯端末装置を使用することが可能となる。
【００２４】
第三の効果は、第一・第二の効果の副次的な効果であり、ユーザが使用していない携帯端末装置が自動的に不活性化するため、使用頻度の低い携帯端末装置についてはユーザが意識する必要なしに消費電力の低減がはかられるということである。これは、不活性化している状態では通信部を完全に停止するので、通信部の消費電力がゼロになるからである。
【発明を実施するための最良の形態】
【００２５】
図1に、本発明の実施の形態の移動体通信システム全体の構成を示す。移動体通信システムはユーザが保有する携帯端末装置１１〜１７、各所に配置された基地局装置２１〜２４、そしてこれら各基地局装置を相互接続し全体の管理機能を付与したコアネットワーク３からなる。
【００２６】
本発明の移動体通信システムは、複数の携帯端末装置１１〜１７をユーザが所有する場合に、ユーザごとに固有の番号となるユーザIDを設け、ユーザからの端末操作を検知して、ユーザIDの通知により、同時に使用可能な携帯端末装置を一つに限定し、ユーザのある携帯端末装置が活性化した場合には、それまでに活性化している携帯端末装置を不活性化する。
【００２７】
携帯端末装置１１〜１７はいわゆる携帯電話、データ通信カード等を指し、無線により移動体通信システムに接続可能な機能を持った移動可能な端末である。携帯端末装置１１〜１７は、各端末固有の番号である端末IDと、ユーザごとに固有の番号となるユーザIDとを持つ。携帯電話ネットワークの場合、ユーザIDは電話番号であっても良い。これらの番号は端末内部に記録されていても良いし、携帯端末装置１１〜１７に接続されたICカードなどの外部記録装置に記録されていても良い。一つの端末IDが割り当てられた携帯端末装置は一つしか存在してはならないが、同一のユーザIDを持つ携帯端末装置は複数存在していても良い。携帯端末装置１１〜１７の詳細な構成については図２とともに後述する。
【００２８】
基地局装置２１〜２４は地域や建物などの単位で設置される装置で、それぞれが担当する地域における無線通信を管理する。基地局装置２１〜２４は固有の位置IDを持つ。基地局装置２１〜２４の基本的な構成は既存の携帯電話ネットワークのものと同一であり、容易に実現可能である。
【００２９】
コアネットワーク３は単一の機器を指すのではなく、基地局装置２１〜２４の相互接続機能およびユーザ情報・課金情報などの管理機能をもったシステム全体を指す。本発明においては、コアネットワーク３には位置情報管理部３１とユーザ管理部３２が必要となる。コアネットワーク３のうち、位置情報管理部３１とユーザ管理部３２を除く部分については既存の携帯電話ネットワークのものと同一であるため説明を省略する。
【００３０】
位置情報管理部３１は、端末IDと、その携帯端末装置の位置の無線通信を管理している基地局装置が持つ位置IDとを関連付ける位置管理情報の表を持つ。位置管理情報は、端末IDから位置IDを検索するための情報である。
【００３１】
ユーザ管理部３２は、ユーザIDと、そのユーザが所有する携帯端末装置のうちその時点で活性化している携帯端末装置の端末IDとを関連付けるユーザ管理情報の表を持つ。同一のユーザIDを持つ携帯端末装置は複数あるが、ユーザ管理情報は一つのユーザIDに対し一つしか持たない。すなわち、同一のユーザIDを持つ複数のユーザ管理情報は存在しない。ユーザ管理情報は、ユーザIDから端末IDを検索するための情報である。
【００３２】
図２に、携帯端末装置１１〜１７の詳細な構成を示す。携帯端末装置１１〜１７は、通信部１１１・入力装置１１２・表示装置１１３・制御部１１４からなる。
【００３３】
通信部１１１は、基地局装置２１〜２４との無線通信を処理する部分である。通信部１１１は端末IDとユーザID、あるいはその値のコピーを所持しており、必要に応じて端末IDとユーザIDの値を基地局装置２１〜２４経由でコアネットワークに送出する機能を持つ。さらに、制御部１１４からの指示により通信を停止する不活性化の機能を持つ。
【００３４】
入力装置１１２は、ユーザからのキー操作などを受け取る部分である。
【００３５】
表示装置１１３は、端末の活性化状況・電波強度・通信状況など無線通信にかかわる状態を表示する機能を持つ。表示装置は携帯端末装置１１〜１７に内蔵されていてもよいし、外付けでもよい。また、携帯端末装置１１〜１７によっては表示装置１１３そのものを持たなくても良い。携帯端末装置１１〜１７が表示装置を持つ場合、活性化状況が変化した場合であっても電波強度などの基本的な無線状況に関する表示は継続することが望ましい。基本的な無線状況が確認できないと、その携帯端末装置１１〜１７が使用可能な状態にあるのかどうかがわからないためである。
【００３６】
制御部１１４は、携帯端末装置１１〜１７各部の制御を司る部分である。
【００３７】
これら携帯端末装置１１〜１７の基本的な構成要素は、既存の携帯電話機等と同等であり容易に実現可能である。
【００３８】
本発明における携帯端末装置１１〜１７では、電源投入時にコアネットワーク３への情報登録を行う。さらに、通信部１１１が不活性化している場合に、入力装置よりユーザの操作を関知した場合は、再度コアネットワーク３への情報登録を行い再活性化を行う。
【００３９】
再活性化する条件となるユーザの操作としては、例えばキー入力操作、アンテナを伸ばす操作、カバー開閉操作、ケーブル挿抜操作などがある。
【００４０】
続いて、本実施の形態の動作を図３〜図６を用いて説明する。
【００４１】
図３および図４は、ユーザが所有する携帯端末装置が一台のみである場合、あるいは所有する携帯端末装置のうち電源投入されているものが一台のみである場合の動作である。
【００４２】
携帯端末装置である端末Aの電源が投入された場合、以下の手順によりコアネットワークへの情報登録を行い、端末Aが活性化される。携帯端末装置が活性化されると、その携帯端末装置では通話・データ通信などの通信が実行できるようになる。なお携帯端末装置が一つだけの場合は不活性化されることはない。
(1) 端末Aからその地域に存在する基地局装置(ここでは位置A)に対し、登録要求を発行する。この際に自身の持つ端末IDおよびユーザIDを付与する。
(2) 基地局装置は、(1)にて送られてきた端末IDおよびユーザIDに加え、基地局装置が持つ位置IDを付与しユーザ管理部に登録要求を発行する。
(3) ユーザの端末が一つしかないため、この時点では端末AのユーザIDを持つユーザ管理情報は存在していない。この場合、ユーザ管理部は送られてきたユーザIDと端末IDをユーザ管理情報として保存する。
(4) ユーザ管理部から位置情報管理部に対し、登録要求を発行する。この際、端末Aの端末IDと、基地局装置の位置IDを付与する。
(5) 位置情報管理部では、(4)にて送られてきた端末IDと位置IDを位置管理情報として保存する。
(6) 情報登録に関する全ての処理が終わったことを端末Aに通知するため、基地局装置に対し登録完了通知を発行する。
(7) 基地局装置より端末Aに登録完了通知を転送する。
(8) 端末Aは活性化状態となり、通話・データ通信などの通信を行える状態となる。
【００４３】
次に、すでに活性化している携帯端末装置がある状態で、そのユーザが所有する別の携帯端末装置を活性化する場合の動作を図５〜図６にて説明する。この場合、活性化しようとする端末を活性化する過程ですでに活性化している端末は不活性化される。結果として、同一ユーザが所有する携帯端末装置のうち一度に活性化する携帯端末装置は一つだけに限定される。
【００４４】
図５〜図６において、端末Aがすでに活性化している携帯端末装置、端末Bがこれから活性化しようとしている携帯端末装置である。図では端末Aは位置Aに存在し端末Bは位置Cに存在するが、2つの携帯端末装置が同じ位置に存在しても問題はない。
以下の手順により、端末Bを活性化し端末Aは不活性化される。
(1) 端末Bからその地域に存在する基地局装置(ここでは位置C)に対し、登録要求を発行する。この際に自身の持つ端末IDおよびユーザIDを付与する。
(2) 基地局装置は、(1)にて送られてきた端末IDおよびユーザIDに加え、基地局装置が持つ位置IDを付与しユーザ管理部に登録要求を発行する。
(3) ユーザ管理部では送られてきたユーザIDがすでに登録されているかどうかを検索し、そのユーザのユーザ管理情報を抽出する。ここでは、端末Aの端末IDが設定されたユーザ管理情報が抽出される。
【００４５】
すでにユーザ管理情報が存在するので、この場合はユーザ管理情報のうち端末IDを(2)で送られてきた端末Bの端末IDに書き換え保存する。
(4) (3)にてすでにユーザ管理情報が存在していた場合は、登録されていた携帯端末装置(ここでは端末A)の情報削除を位置情報管理部に送出する。この際、登録されていた携帯端末装置の端末IDを付与する。
(5) 位置情報管理部では、(4)にて送られてきた端末IDに該当する位置管理情報を検索した上で、これを削除する。
(6) 情報削除されたことを端末に通知するため、(5)で検索された情報から位置IDを抽出し、対応する基地局装置(ここでは位置A)に対し削除要求を送出する。
(7) 基地局装置より端末Aに削除要求を転送する。
(8) 端末Aにて、削除要求を受け取り不活性化したことをコアネットワークに通知するため、削除完了通知を送出する。
(9) (8)の送出完了後、端末Aは通信部を停止させ、次のユーザ操作を検出するまで不活性化する。
(10) (3)にて端末Bを新規に登録したので、ユーザ管理部から位置情報管理部に対し、端末Bの登録要求を発行する。この際、端末Bの端末IDと、基地局装置の位置IDを付与する。
(11) 位置情報管理部では、(10)にて送られてきた端末IDと位置IDを位置管理情報として保存する。
(12) 情報登録に関する全ての処理が終わったことを端末Aに通知するため、基地局装置に対し登録完了通知を発行する。
(13) 基地局装置より端末Bに登録完了通知を転送する。
(14) 端末Bは活性化状態となり、通話・データ通信などの通信を行える状態となる。
【００４６】
又、上述の本発明の実施の形態についての移動体通信システムを用いた移動体通信方法のプログラムにより、コンピュータ又はマイクロプロセッサにその移動体通信方法を実行させることができる。
【図面の簡単な説明】
【００４７】
【図１】本発明の実施の形態の移動体通信システム全体の構成を示す図である。
【図２】携帯端末装置の詳細な構成を示す図である。
【図３】ユーザが所有する携帯端末装置が一台のみである場合、あるいは所有する携帯端末装置のうち電源投入されているものが一台のみである場合の動作を示す図である。
【図４】ユーザが所有する携帯端末装置が一台のみである場合、あるいは所有する携帯端末装置のうち電源投入されているものが一台のみである場合の動作を示す図である。
【図５】すでに活性化している携帯端末装置がある状態で、そのユーザが所有する別の携帯端末装置を活性化する場合の動作を示す図である。
【図６】すでに活性化している携帯端末装置がある状態で、そのユーザが所有する別の携帯端末装置を活性化する場合の動作を示す図である。
【符号の説明】
【００４８】
３    コアネットワーク
１１〜１７    携帯端末装置
２１〜２４    基地局装置
３１    位置情報管理部
３２    ユーザ管理部
１１１    通信部
１１２    入力装置
１１３    表示装置
１１４    制御部
【図１】
2005117472.tif 000003
【図２】
2005117472.tif 000004
【図３】
2005117472.tif 000005
【図４】
2005117472.tif 000006
【図５】
2005117472.tif 000007
【図６】
2005117472.tif 000008